(57)【要約】【課題】  録画機器選択画面において、どの機器であれば録画予約が可能なのかを簡単に把握できるようにする。【解決手段】  録画機器の一覧をリスト形式で画面表示し（Ｓ１）、いずれかのリストをカーソル等によって選択すると（Ｓ２）、その録画機器の録画可能時間をコメント欄１に表示する（Ｓ３）。続いて、選択機器がＷ録可能か判断し（ステップＳ４）、Ｗ録可能ならばＷ録不可能になる設定が「オフ」になっているか判断する（Ｓ５）。「オフ」の場合には、Ｗ録可能の旨をコメント欄２に表示し（Ｓ６）、「オフ」でない場合には、Ｗ録不可能の旨とその理由をコメント欄２に追加表示する（Ｓ７）。また、ステップＳ４でＷ録不可能な機器と判断された場合には、Ｗ録不可能な機器である旨をコメント欄２に表示する（Ｓ８）。【選択図】      図２
2010206292.tif 000002
【特許請求の範囲】
【請求項１】
それぞれ独立して放送番組を受信する複数のチューナと、
それぞれ互いに独立して放送番組を録画する複数の録画機器を管理する録画機器管理部と、
前記複数のチューナにより選択的に受信して得られる１または複数の放送番組を前記複数の録画機器のいずれかに選択的に録画する録画処理部と
を具備し、
前記録画機器管理部は、
前記複数の録画機器をリストアップし、
それぞれの録画機器の同時録画可能上限数を把握し、
前記リストアップされた録画機器をリスト表示して当該リスト上から前記放送番組の録画先を指定するためのリスト表示欄、前記リスト表示欄で指定される録画機器の同時録画可能上限数を表示するコメント欄を含む録画機器選択画面を表示することを特徴とする番組録画再生装置。
【請求項２】
さらに、前記録画機器管理部は、
前記録画処理部の録画設定内容の制約状況を把握し、
前記コメント欄に前記録画設定内容により同時録画可能上限数が少なくなる旨を追加表示することを特徴とする請求項１記載の番組録画再生装置。
【請求項３】
それぞれ互いに独立して放送番組を録画する複数の録画機器を管理し、複数のチューナにより選択的に受信して得られる１または複数の放送番組を前記複数の録画機器のいずれかに選択的に録画する番組録画再生装置の録画機器選択処理方法において、
前記複数の録画機器をリストアップし、
それぞれの録画機器の同時録画可能上限数を把握し、
前記リストアップされた録画機器をリスト表示して当該リスト上から前記放送番組の録画先を指定するためのリスト表示欄、前記リスト表示欄で指定される録画機器の同時録画可能上限数を表示するコメント欄を含む録画機器選択画面を表示することを特徴とする番組録画再生装置の録画機器選択処理方法。
【請求項４】
さらに、前記放送番組を録画する際の設定内容の制約状況を把握し、
前記コメント欄に前記録画設定内容により同時録画可能上限数が少なくなる旨を追加表示することを特徴とする請求項３記載の番組録画再生装置の録画機器選択処理方法。
【発明の詳細な説明】
【技術分野】
【０００１】
本発明は、例えば複数のチューナで受信されたテレビジョン放送番組を複数の録画機器に選択的に記録可能な番組録画再生装置とその録画機器選択処理方法に関する。
【背景技術】
【０００２】
周知のように、録画したい放送番組が重なった場合のニーズから、複数（一般的には２台）のチューナを搭載し、各チューナで受信されたテレビジョン放送番組を同時に記録可能な番組録画再生装置が広く普及されている。一方、この種の番組録画再生装置では、録画機器としてＤＶＤレコーダ部、ＨＤＤレコーダ部、ＳＤカード記録部を内蔵しているが、さらにＬＡＮ接続のＨＤＤ等、外部接続の録画機器にも録画可能な装置もある。
【０００３】
ところで、従来の番組録画再生装置には、録画機器選択画面に、管理下にある録画機器の容量及び残量をバー表示する機能が存在している。しかしながら、同時録画可能な上限数毎にバーの表示を区別するようなことはしていない。ユーザは、録画予約の有無は把握できても、どの機器であれば予約可能なのかを把握することができなかった。
【０００４】
尚、特許文献１には、番組表上において、カーソルで指定された番組が属する時間帯の録画予約数が該時間帯における最大録画予約数と同数であった場合には、当該番組の指定に応答してメッセージを画面上に表示させることが記載されている。但し、上限数表示に関する記載は無い。また、特許文献２には、録画予約する放送番組を受け付けることによって、同一放送時間帯の放送番組を記録できる数より多い放送番組の録画予約が設定されることになるか否かを判定することとし、同一放送時間帯に記録できる数より多い放送番組の録画予約が設定されることになると判定された場合、利用者に対して警告を行うことが記載されている。但し、この文献にも上限数表示に関する記載は無い。
【先行技術文献】
【特許文献】
【０００５】
【特許文献１】特開２００８−１４８０７６公報
【特許文献２】特開２００７−０８１８６６公報
【発明の概要】
【発明が解決しようとする課題】
【０００６】
以上のように、従来の番組録画再生装置では、録画機器選択画面において、録画予約の有無は把握できても、どの機器であれば録画予約が可能なのかを把握することができなかった。
【０００７】
本発明は、上記の事情を鑑みてなされたもので、録画機器選択画面において、どの機器であれば録画予約が可能なのかを簡単に把握することができる番組録画再生装置とその録画機器選択処理方法を提供することを目的とする。
【課題を解決するための手段】
【０００８】
上記目的を達成するために本発明に係る番組録画再生装置は以下のような態様の構成とする。
【０００９】
（１）それぞれ独立して放送番組を受信する複数のチューナと、それぞれ互いに独立して放送番組を録画する複数の録画機器を管理する録画機器管理部と、前記複数のチューナにより選択的に受信して得られる１または複数の放送番組を前記複数の録画機器のいずれかに選択的に録画する録画処理部とを具備し、前記録画機器管理部は、前記複数の録画機器をリストアップし、それぞれの録画機器の同時録画可能上限数を把握し、前記リストアップされた録画機器をリスト表示して当該リスト上から前記放送番組の録画先を指定するためのリスト表示欄、前記リスト表示欄で指定される録画機器の同時録画可能上限数を表示するコメント欄を含む録画機器選択画面を表示する構成とする。
【００１０】
（２）（１）の構成において、さらに、前記録画機器管理部は、前記録画処理部の録画設定内容の制約状況を把握し、前記コメント欄に前記録画設定内容により同時録画可能上限数が少なくなる旨を追加表示する構成とする。
【００１１】
また、本発明に係る番組録画再生装置の録画機器選択処理方法は以下のような態様の構成とする。
【００１２】
（３）それぞれ互いに独立して放送番組を録画する複数の録画機器を管理し、複数のチューナにより選択的に受信して得られる１または複数の放送番組を前記複数の録画機器のいずれかに選択的に録画する番組録画再生装置の録画機器選択処理方法において、前記複数の録画機器をリストアップし、それぞれの録画機器の同時録画可能上限数を把握し、前記リストアップされた録画機器をリスト表示して当該リスト上から前記放送番組の録画先を指定するためのリスト表示欄、前記リスト表示欄で指定される録画機器の同時録画可能上限数を表示するコメント欄を含む録画機器選択画面を表示する構成とする。
【００１３】
（４）（３）の構成において、さらに、放送番組を録画する際の設定内容の制約状況を把握し、前記コメント欄に前記録画設定内容により同時録画可能上限数が少なくなる旨を追加表示する構成とする。
【発明の効果】
【００１４】
本発明によれば、録画機器選択画面において、どの機器であれば録画予約が可能なのかを簡単に把握することができる番組録画再生装置とその録画機器選択処理方法を提供することができる。
【図面の簡単な説明】
【００１５】
【図１】本発明の一実施形態として、番組録画再生装置としての機能を有する情報記録再生装置の概略構成を示すブロック図。
【図２】上記実施形態において、録画機器選択画面を表示するための処理手順を示すフローチャート。
【図３】上記実施形態の録画機器選択画面の表示例を示す図。
【図４】図３に示した録画機器選択画面にコメントを追記する場合の表示例を示す図。
【発明を実施するための形態】
【００１６】
以下、図面を参照して本発明の実施の形態を詳細に説明する。
【００１７】
図１は本発明の一実施形態として、番組録画再生装置としての機能を有する情報記録再生装置の概略構成を示すブロック図である。図１に示す情報記録再生装置は、ＤＶＤなどの光ディスク１０とハードディスク部１４の双方に番組を録画することができる。また、ネットワークインターフェース８０を介してＬＡＮ接続ハードディスク装置（ＨＤＤ）８２にも番組を録画することができる。なお、この情報記録再生装置は、番組の録画先として、例えば半導体メモリを備えることもできる。
【００１８】
図１において、左側には記録部の主なブロックが示され、右側には再生部の主なブロックが示されている。この情報記録再生装置は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００１９】
また、情報記録再生装置は、データプロセッサ部１６を備え、このデータプロセッサ部１６は、ディスクドライブ部１２、ハードディスクドライブ部１４及びＬＡＮ接続ハードディスク装置８２に記録データを供給し、また、ディスクドライブ部１２、ハードディスクドライブ部１４、ＬＡＮ接続ハードディスク装置８２により読み出された再生データを受け取る。データプロセッサ部１６は、所定単位の記録データまたは再生データを処理し、バッファ回路、変調・復調回路、エラー訂正回路などを備える。
【００２０】
また、情報記録再生装置は、エンコーダ部３０、デコーダ部５０、マイクロコンピュータブロック７０を備えている。エンコーダ部３０には、スイッチ２０を介して、ＡＶ入力部１８ａからの外部アナログビデオ信号と外部アナログオーディオ信号が入力される。また、エンコーダ部３０には、スイッチ２０を介して、地上波アナログチューナ１８ｂ、地上波デジタルチューナ１８ｃ、衛星ＢＳ／ＣＳチューナ１８ｄ、衛星アナログチューナ１８ｅからの受信信号が選択的に入力される。例えば、この情報記録再生装置は、地上波デジタルチューナ１８ｃで受信した番組をハードディスクドライブ部１４により録画しつつ、同時に、衛星ＢＳ／ＣＳチューナ１８ｄで受信した番組を記録したり、デコーダ５０により再生したりすることができる。また、地上波デジタルチューナ１８ｃは、２チャンネルの番組を同時に受信出力可能な、いわゆるＷチューナとし、上記スイッチ２０により、要求に応じて２番組を同時に選択可能とする。
【００２１】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２またはＭＰＥＧ１規格に基づいて可変ビットレートで圧縮する。オーディオエンコーダは、デジタルオーディオ信号をＭＰＥＧまたはＡＣ−３規格に基づいて固定ビットレートで圧縮する。
【００２２】
ＡＶ入力部１８ａからの副映像信号（例えば副映像信号の独立出力端子付ＤＶＤビデオプレーヤからの信号）がエンコーダ部３０に対して入力された場合、あるいは副映像信号が含まれたＤＶＤビデオ信号がＴＶチューナ部で受信された場合は、ＤＶＤビデオ信号中の副映像信号が副映像エンコーダでエンコード（ランレングス符号化）されて副映像のビットマップとなる。
【００２３】
エンコーダ部３０からのエンコード出力信号は、フォーマッタ３２にて所定のＤＶＤのフォーマットに変換され、データプロセッサ部１６に供給される。なお、フォーマッタ３２には、バッファメモリ３４が接続されており、エンコード出力信号がバッファリングされる。具体的には、エンコードされたデジタルビデオ信号、デジタルオーディオ信号、副映像データは、フォーマッタ３２にてパック化され、ビデオパック、オーディオパック、副映像パックとなり、さらにこれらが集合されて、ＤＶＤ-ビデオ規格で規定されたフォーマット（ＤＶＤ Ｖｉｄｅｏフォーマット）や、ＤＶＤ-レコーディング規格で規定されたフォーマット（ＤＶＤ ＶＲフォーマット）に変換される。
【００２４】
なお、トランスポートストリームから抽出したパケットエレメンタリーストリームが、エンコーダ部３０から直接ハードディスクドライブ部１４のハードディスクに記録される場合もある。
【００２５】
なお、エンコーダ部３０は、圧縮されたデジタルビデオ信号やデジタルオーディオ信号が直接入力されるときは、圧縮デジタルビデオ信号やデジタルオーディオ信号を直接フォーマッタ３２に供給することもできる。またエンコーダ部３０は、アナログデジタル変換されたデジタルビデオ信号やオーディオ信号を、ビデオミキシング部５６やオーディオセレクタ５２に直接供給することもできる。
【００２６】
フォーマッタ３２でフォーマットデータ（ビデオ、オーディオ、副映像データなどのパック）及び作成された管理情報は、データプロセッサ部１６を介してハードディスクドライブ部１４あるいはデータディスクドライブ部１２に供給され、ハードディスクあるいは光ディスク１０に記録される。またハードディスクあるいは光ディスク１０に記録されたフォーマットデータ及び管理情報は、データプロセッサ部１６、ディスクドライブ部１２を介して光ディスク１０あるいはハードディスクに記録することもできる（ハードディスク→光ディスク／光ディスク→ハードディスク）。
【００２７】
また、データプロセッサ部１６は、ハードディスクあるいは光ディスク１０に記録されている番組データを構成するビデオオブジェクトの一部を削除したり、異なる複数の番組を構成するビデオオブジェクトの一部をつなぎあわせたりする編集処理を行うこともできる。
【００２８】
マイクロコンピュータブロック７０は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。さらに、マイクロコンピュータブロック７０は、電子番組ガイド（Electronic Program Guide）処理部７０１、録画制御部７０２、再生制御部７０３、編集処理部７０４、表示制御部７０５を備えている。
【００２９】
ＭＰＵの実行結果のうち、ユーザに通知すべき内容は、情報記録再生装置の表示部７４に表示されるか、または情報記録再生装置に接続されるモニターディスプレイにＯＳＤ（オンスクリーンディスプレイ）表示される。なお、表示部７４は、ＦＬ管又はＬＥＤを備え、情報記録再生装置の主電源がオフの状態でも、各種情報を表示することができる。
【００３０】
また、マイクロコンピュータブロック７０は、ネットワークインターフェース７２を介して、外部ネットワークに接続することが可能である。これにより、外部ネットワークを介して電子番組ガイド（Electronic Program Guide）を取り込むことも可能である。
【００３１】
また、マイクロコンピュータブロック７０は、ＳＴＣ（システムタイムクロック）生成部４０からの時間データに基づいて、ディスクドライブ部１２、ハードディスクドライブ部１４、データプロセッサ部１６、エンコーダ部３０、デコーダ部５０などを制御する。なお、録画や再生の動作は、ＳＴＣ生成部４０からのタイムクロックに同期して実行されるが、それ以外の処理はＳＴＣ生成部４０とは独立したタイミングで実行されてもよい。
【００３２】
また、マイクロコンピュータブロック７０にはキー入力部７６からの操作入力信号が入力される。このキー入力部７６は、例えば情報記録再生装置の本体上に設けた操作スイッチ類及び本体から独立したリモートコントローラである。或いは、このキー入力部７６は、情報記録再生装置と有線通信あるいは無線通信により接続されるパーソナルコンピューターであってもよい。キー入力部７６は、例えば、番組ガイド表示キー、カレンダー表示キー、録画予約番組一覧表示キー、再生番組一覧表示キー、削除キー、決定キー、十字キーを備えており、この十字キーは、上下キー及び左右キーを備えている。その他、適宜機能を割り当て可能な青、赤、緑、黄のキーを備えている。このキー入力部７６を介しての操作入力（選択操作）に基づき、情報記録再生装置は、番組録画予約、番組録画予約に基づく番組録画、録画番組の再生、再生の停止、録画番組の編集（削除等）などを実行する。
【００３３】
デコーダ部５０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００３４】
デコーダ部５０から出力されるビデオ信号は、ビデオミキシング部５６に入力される。ビデオミキシング部５６は、例えばテキストデータを合成する。またビデオミキシング部５６には、ＡＶ入力部１８a、地上波アナログチューナ１８ｂ、地上波デジタルチューナ１８ｃ、衛星ＢＳ／ＣＳチューナ１８ｄ、衛星アナログチューナ１８ｅからの信号を直接取り込むラインが接続されている。ビデオミキシング部５６には、バッファとして用いるフレームメモリ５８が接続されている。ビデオミキシング部５６から出力されるアナログビデオ信号はＩ／Ｆ（インタフェース）７３を介してそのまま外部へ出力され、ビデオミキシング部５６から出力されるデジタルビデオ信号はデジタルアナログ変換器６２を介してアナログビデオ信号へ変換され外部（例えばモニタ６４）へ出力される。
【００３５】
デコーダ部５０から出力されるデジタルオーディオ信号は、セレクタ５２を介してデジタルアナログ変換器５４でアナログオーディオ信号へ変換され外部（例えばスピーカ）に出力される。セレクタ５２は、マイクロコンピュータブロック７０からのセレクト信号により制御される。これによりセレクタ５２は、ＡＶ入力部１８aや地上波デジタルチューナ１８ｃからのデジタル信号を直接モニタする時、エンコーダ部３０をスルーした信号を直接選択することも可能である。
【００３６】
なお、エンコーダ部３０のフォーマッタは、録画中、切り分け情報を作成し、定期的にマイクロコンピュータブロック７０のＭＰＵへ送る。切り分け情報には、ＶＯＢＵのパック数、ＶＯＢＵの先頭からのIピクチャのエンドアドレス、ＶＯＢＵの再生時間などが含まれる。
【００３７】
また、この情報記録再生装置は、録画番組を構成するデータにアクセス（シーク）している間に、途切れないで録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（１６セクタ）の倍数の情報が記録される。
【００３８】
データプロセッサ部１６は、エンコーダ部３０のフォーマッタからＶＯＢＵ単位のデータを受け取り、ＶＯＢＵ単位のデータからＣＤＡ単位のデータを生成し、ＣＤＡ単位のデータをディスクドライブ部１２あるいはハードディスクドライブ部１４に供給する。またマイクロコンピュータブロック７０のＭＰＵは、記録したデータを再生するのに必要な管理情報を作成し、データ記録終了のコマンドを認識すると、作成した管理情報をデータプロセッサ部１６に送る。これにより、管理情報が記録される。
【００３９】
次に、上記説明した情報記録再生装置による予約録画時の録画機器選択処理手順について、図２に示すフローチャート、図３及び図４に示す画面表示例を参照して説明する。
【００４０】
図２において、本装置に搭載される録画機器及び管理下にある録画機器の一覧を画面表示する（ステップＳ１）。上記構成の場合、内蔵ハードディスクドライブ部１４、ＬＡＮ接続ハードディスク装置８２等であり、図３に示すように、リスト枠毎に録画機器の名称が示される。各リスト枠をカーソルまたは方向キーの操作によって選択すると（ステップＳ２）、その録画機器の残り記録容量から録画可能時間（例えばハイビジョン録画時（ＨＤ）／スタンダード録画時（ＳＤ）それぞれの時間）を計算してコメント欄１に表示する（ステップＳ３）。
【００４１】
続いて、選択された機器がＷ録（２番組を同時録画する機能）可能な機器か判断し（ステップＳ４）、Ｗ録可能な機器ならばＷ録不可能になる設定が「オフ」になっているか判断する（ステップＳ５）。「オフ」の場合には、Ｗ録可能の旨、例えば「２つの番組が同時録画できます。」をコメント欄２に表示する（ステップＳ６）。また、「オフ」でない場合には、図４に示すように、Ｗ録不可能の旨とその理由、例えば「１つの番組が録画できます。※ワンセグ同時録画「する」に設定されているため２つの番組は同時録画できません。」をコメント欄２に追加表示する（ステップＳ７）。また、ステップＳ４でＷ録不可能な機器と判断された場合には、Ｗ録不可能な機器である旨をコメント欄２に表示する（ステップＳ８）。
【００４２】
尚、上記コメント欄２に表示する内容については、予めマイクロコンピュータブロック７０内のＲＯＭ（図示せず）にデータベース化しておく。
【００４３】
以上のように、上記実施形態における録画機器設定画面では、録画機器をリスト表示し、リモコンのカーソル等を用いることで、録画機器を指定することが可能である。また、指定している機器の同時録画可能上限数を画面下のコメント欄１に表示するようにし、録画設定内容の制約等により制約録画可能上限数が少なくなった場合は、その旨の表示をコメント欄２に追加表示する。
【００４４】
このように、上記実施形態によれば、録画する際に機器毎の同時録画可能上限数を把握することができ、後の録画／予約を考え選択する判断の一要素となる。また、録画設定内容により、同時録画可能上限数が少なくなる旨の表示をすることで、設定内容を優先するか、同時録画可能上限数を優先するか選択する判断基準となり、ユーザにとって非常に有効である。
【００４５】
尚、本発明は上記実施形態そのままに限定されるものではなく、実施段階ではその要旨を逸脱しない範囲で構成要素を変形して具体化できる。例えば、上記実施形態では、同時に録画可能な番組数を２つとしたが、それ以上の番組数であっても同様に実施可能である。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【符号の説明】
【００４６】
１０…光ディスク、１２…ディスクドライブ部、１４…ハードディスクドライブ部、１６…データプロセッサ部、１８ａ…ＡＶ入力部、１８ｂ…地上波アナログチューナ、１８ｃ…地上波デジタルチューナ、１８…衛星ＢＳ／ＣＳチューナ、１８ｅ…衛星アナログチューナ、２０…スイッチ、３０…エンコーダ部、３２…フォーマッタ、５０…デコーダ部、７０…マイクロコンピュータブロック、１６…データプロセッサ部、３４…バッファメモリ、４０…ＳＴＣ（システムタイムクロック）生成部、５２…オーディオセレクタ、５４…デジタルアナログ変換器、５６…ビデオミキシング部、５８…フレームメモリ、６２…デジタルアナログ変換器、６４…モニタ、７０１…電子番組ガイド（Electronic Program Guide）処理部、７０２…録画制御部、７０３…再生制御部、７０４…編集処理部、７０５…表示制御部、７３…Ｉ／Ｆ（インタフェース）、７４…表示部、７２…ネットワークインターフェース、７６…キー入力部、８０…ネットワークインターフェース、８２…ＬＡＮ接続ハードディスク装置。
【図１】
2010206292.tif 000003
【図２】
2010206292.tif 000004
【図３】
2010206292.tif 000005
【図４】
2010206292.tif 000006